(57)【要約】【課題】  折り畳み折携帯電話機の開閉動作に際し、蓋体ケースをほぼ１６０°と３６０°回転させた状態で保持できるようにする。【解決手段】  携帯電話機本体１は、本体ケース２にヒンジ機構５を介して蓋体ケース４を連結して構成される。ヒンジ機構５は、本体ケース２及び蓋体ケース４と一体的に回転する本体側ギア１０と蓋側ギア１１、その各ギア１１を噛合した状態で枢着するギアシャフト２０，２１、ギア１０，１１の一側面に形成されるカム面１２，１３、カム面２５，２５を有する係合カム３０と、この係合カム３０をカム面１２，１３に押し付けるバネ４０とで構成される。蓋体ケース４をヒンジ機構５によって本体ケース２ほぼ１６０°開いた状態で保持し、さらに３６０°開いた状態で保持する。【選択図】  図３
2006144892.tif 000002
【特許請求の範囲】
【請求項１】
本体ケースと、この本体ケースを覆う蓋体ケースとをヒンジ機構を介して連結して構成される折り畳み式携帯電話機において、前記ヒンジ機構は、本体ケースと一体的に回転する本体側ギアと、蓋体ケースと一体的に回転する蓋側ギアと、これらギアを覆うギアケースと、前記各ギアを相互に噛み合せた状態で枢着するために前記ギアケースに設けた一対のギアシャフトと、前記本体側ギアと蓋側ギアの一側面に形成されるカム面と、前記各ギアシャフトに跨って枢着されるとともに、前記各ギアのカム面と係合するカム面を有する係合カムと、この係合カムを前記各ギアに押し付ける付勢部材とを有し、前記各ギアと係合カムに形成されるカム面の係合によって、前記本体側ギアと蓋側ギアの回転角度を規制して前記本体ケースに対する前記蓋体ケースの開き角度を所定角度で保持するように構成したことを特徴とする折り畳み式携帯電話機。
【請求項２】
前記本体ケースと前記蓋側ギアの両端に前記ヒンジ機構を取り付けるために左右一対の取付部材を設け、その一方の取付部材の先端側に前記ギアシャフトの一端を固定し、該ギアシャフトの他端を前記ギアケース内に設けた仕切り壁に固定するとともに、他方の取付部材は加絞部材によって前記ギアケースに連結して前記本体ケースと蓋側ギアにヒンジ機構を連結し、かつ、前記一方の取付部材の端部に前記各ギアと当接する突出部を形成し、この突出部と前記各ギアの当接面に相互に係合する凹凸部を形成したことを特徴とする請求項１記載の折り畳み式携帯電話機。
【請求項３】
前記加絞部材は前記本体ケースと前記蓋体ケースとに接続された配線部材を通す貫通孔を有して中空状に形成するとともに、この加絞部材と前記仕切り壁との間に前記配線部材を通すための空洞部を形成したことを特徴とする請求項２記載の折り畳み式携帯電話機。
【請求項４】
前記本体ケースに対する前記蓋体ケースの開き角度が概ね１６０°と３６０°であることを特徴とする請求項１〜３のいずれか１項記載の折り畳み式携帯電話機。
【発明の詳細な説明】
【技術分野】
【０００１】
本発明は、本体ケースと蓋体ケースとをヒンジ機構を介して開閉可能に連結する折り畳み式携帯電話機に関し、特に、ワンタッチの操作で所定角度を保った状態で蓋体ケースを開くことが可能な折り畳み式携帯電話機に関するものである。
【背景技術】
【０００２】
従来、折り畳み式携帯電話機は複数の操作キーを備えた本体ケースとディスプレイを備えた蓋体ケースとがヒンジ機構を介して開閉可能に連結されており、また、この種の折り畳み携帯電話機は、メールの送受信やカメラ機能の他、ディスプレイも大型化し、例えば、インターネットなどの閲覧、テレビジョンなど放送受信など種々の機能を備えおり、電話機としての操作に加えてディスプレイを見やすくするためにヒンジ機構が求められている。
【０００３】
このような、折り畳み式携帯電話機のヒンジ装置として例えば、特許文献１が公知である。これは、図７に示すように、本体ケース１００の端部に左右一対の取付部１００Ａを形成し、この取付部１００Ａの間に蓋体ケース１０１とのヒン取付部１０１Ａを挿入し、ヒンジ機能２０２を介して、開閉自在に連結されている。ヒンジ機能２０２は、１８０°間隔をおいて、１対の従動ピンを有する係合カムと、カム部を備えたスライド駒を内蔵している。このヒンジ機能２０２によって蓋体ケース１０１は、図８に示すように、閉状態から２５°までの角度領域では蓋体ケース１０１に閉じる方向に付勢力を与え、２５°を超えると９０°までは蓋体ケース１０１を開方向に付勢する。さらに、９０°を超えると、１５０°までの角度領域において蓋体ケース１０１の角度を任意角度で保持でき、最終的に開状態の角度の１６０°で保持されるように構成している。
【特許文献１】特開２００４−１１７１８号公報
【発明の開示】
【発明が解決しようとする課題】
【０００４】
特許文献１に示す折り畳み式携帯電話機によれば、蓋体ケース１０１は、２５度を超えると９０°まではワンタッチで開くことが出来るとともに、９０°から１５０°までの間、蓋体ケース蓋体ケースの角度を任意角度で保持できるようになっているが、近年、折り畳み式携帯電話機は、より高機能化が進み、例えば、テレビ機能など、電話機としての機能の他に様々な機能が備えられ、例えば、テレビジョン受像機としてディスプレイを用いる場合、見やすくするためには、蓋体ケース１０１を全開、すなわち、最大、１６０°開かなければならず、この状態でディスプレイを長時間、鑑賞する場合、携帯電話機が大型化し、携帯に不便である。一方、携帯電話機をコンパクト化しようとすると、蓋体ケース１０１の開き角度が小さく、ディスプレイが見づらいものとなってしまう。
【０００５】
本発明は、前記事情に鑑みなされたもので、ディスプレイが見やすく、しかも、携帯電話機をコンパクトな状態で保持することができる折り畳み式携帯電話機を提供することを目的とする。
【課題を解決するための手段】
【０００６】
本発明の請求項１記載の折り畳み式携帯電話機は、本体ケースと、この本体ケースを覆う蓋体ケースとをヒンジ機構を介して連結して構成される折り畳み式携帯電話機において、前記ヒンジ機構は、本体ケースと一体的に回転する本体側ギアと、蓋体ケースと一体的に回転する蓋側ギアと、これらギアを覆うギアケースと、前記各ギアを相互に噛み合せた状態で枢着するために前記ギアケースに設けた一対のギアシャフトと、前記本体側ギアと蓋側ギアの一側面に形成されるカム面と、前記各ギアシャフトに跨って枢着されるとともに、前記各ギアのカム面と係合するカム面を有する係合カムと、この係合カムを前記各ギアに押し付ける付勢部材とを有し、前記各ギアと係合カムに形成されるカム面の係合によって、前記本体側ギアと蓋側ギアの回転角度を規制して前記本体ケースに対する前記蓋体ケースの開き角度を所定角度で保持するように構成したことを特徴とする。
【０００７】
本発明の請求項２記載の折り畳み式携帯電話機は、請求項１記載の折り畳み式携帯電話機において、前記本体ケースと前記蓋側ギアの両端に前記ヒンジ機構を取り付けるために左右一対の取付部材を設け、その一方の取付部材の先端側に前記ギアシャフトの一端を固定し、該ギアシャフトの他端を前記ギアケース内に設けた仕切り壁に固定するとともに、他方の取付部材は加絞部材によって前記ギアケースに連結して前記本体ケースと蓋側ギアにヒンジ機構を連結し、かつ、前記一方の取付部材の端部に前記各ギアと当接する突出部を形成し、この突出部と前記各ギアの当接面に相互に係合する凹凸部を形成したことを特徴とする。
【０００８】
本発明の請求項３記載の折り畳み式携帯電話機は、請求項２載の折り畳み式携帯電話機において、前記加絞部材は前記本体ケースと前記蓋体ケースとに接続された配線部材を通す貫通孔を有して中空状に形成するとともに、この加絞部材と前記仕切り壁との間に前記配線部材を通すための空洞部を形成したことを特徴とする。
【０００９】
本発明の請求項４記載の折り畳み式携帯電話機は、請求項１〜３のいずれか１項記載の折り畳み式携帯電話機において、前記本体ケースに対する前記蓋体ケースの開き角度が概ね１６０°と３６０°であることを特徴とする。
【発明の効果】
【００１０】
本発明の請求項１記載の本発明の請求項１記載の折り畳み式携帯電話機によれば、本体ケースと、この本体ケースを覆う蓋体ケースとをヒンジ機構を介して連結して構成される折り畳み式携帯電話機において、前記ヒンジ機構は、本体ケースと一体的に回転する本体側ギアと、蓋体ケースと一体的に回転する蓋側ギアと、これらギアを覆うギアケースと、前記各ギアを相互に噛み合せた状態で枢着するために前記ギアケースに設けた一対のギアシャフトと、前記本体側ギアと蓋側ギアの一側面に形成されるカム面と、前記各ギアシャフトに跨って枢着されるとともに、前記各ギアのカム面と係合するカム面を有する係合カムと、この係合カムを前記各ギアに押し付ける付勢部材とを有し、前記各ギアと係合カムに形成されるカム面の係合によって、前記本体側ギアと蓋側ギアの回転角度を規制して前記本体ケースに対する前記蓋体ケースの開き角度を所定角度で保持するように構成したことによって、通話するのに都合が良い角度で蓋体ケースの開き角度を保持し、さらに、ディスプレイを外面側に露出させた状態で蓋体ケースと本体ケースとをコンパクトに折り畳んだ状態で保持することができ、メール入力、画像閲覧等において、動画の鑑賞、ゲームなどを行うことができ、ディスプレイの見やすさが向上することが可能となる。
【００１１】
本発明の請求項２記載の折り畳み式携帯電話機によれば、請求項１記載の折り畳み式携帯電話機において、前記本体ケースと前記蓋側ギアの両端に前記ヒンジ機構を取り付けるために左右一対の取付部材を設け、その一方の取付部材の先端側に前記ギアシャフトの一端を固定し、該ギアシャフトの他端を前記ギアケース内に設けた仕切り壁に固定するとともに、他方の取付部材は加絞部材によって前記ギアケースに連結して前記本体ケースと蓋側ギアにヒンジ機構を連結し、かつ、前記一方の取付部材の端部に前記各ギアと当接する突出部を形成し、この突出部と前記各ギアの当接面に相互に係合する凹凸部を形成したことを特徴とするものであるから、ギアケースに蓋側ギアと本体ギアを収容してヒンジ機構をコンパクトにユニット化することができ、このように、ユニット化したヒンジ機構を本体ケースと蓋体ケースとに簡単に組付けることができ、組付け作業性にも優れる。
【００１２】
本発明の請求項３記載の折り畳み式携帯電話機によれば、請求項２載の折り畳み式携帯電話機において、前記加絞部材は前記本体ケースと前記蓋体ケースとに接続された配線部材を通す貫通孔を有して中空状に形成するとともに、この加絞部材と前記仕切り壁との間に前記配線部材を通すための空洞部を形成したものであるから、配線部材が邪魔にならずスッキリを配線処理することができるとともに、配線部材の噛み込みも防止することができる。これにより、配線部材と本体ケース及び蓋体ケース４との干渉を防止して配線部材の断線などを防止することができる。
【００１３】
本発明の請求項４記載の折り畳み式携帯電話機は、請求項１〜３のいずれか１項記載の折り畳み式携帯電話機において、前記本体ケースに対する前記蓋体ケースの開き角度が概ね１６０°と３６０°であるから、通話するのに都合が良いほぼ１６０°まで付勢されて蓋体ケースを開くことが可能となるため、片手で蓋体ケースを操作して通話を開始することが可能となる等、操作が容易になる。また、蓋体ケースを３６０°回転させて、ディスプレイを外面側に露出させた状態で蓋体ケースと本体ケースとをコンパクトに折り畳んだ状態で保持することができ、メール入力、画像閲覧等において、動画の鑑賞、ゲームなどを行うことができ、ディスプレイの見やすさが向上する。
【発明を実施するための最良の形態】
【００１４】
本発明の実施の形態を実施例に基づき図面を参照して説明する。図１は、本発明を適用した折り畳み携帯電話機の斜視図であり、同図で示すように、携帯電話機本体１は、図示しない複数の操作ボタンを有する本体ケース２と、ディスプレイ３を備えた蓋体ケース４と、これら本体ケース２と蓋体ケース４を回動自在に連結するヒンジ機構５とで構成される。
【００１５】
図２はヒンジ機構５の分解斜視図、図３はヒンジ機構５の断面図、図４はヒンジ機構５の正面図である。ヒンジ機構５は、本体ケース２と一体的に回転する本体側ギア１０と、蓋体ケース４と一体的に回転する蓋側ギア１１と、これらギア１０，１１を覆うギアケース１５と、前記各ギア１１を相互に噛み合せた状態で枢着するために前記ギアケース１５に設けた一対のギアシャフト２０，２１と、前記ギア１０，１１の一側面に形成されるカム面１２，１３と、前記各ギアシャフト２０，２１に跨って枢着されるとともに、前記各ギア１０，１１のカム面１２，１３と係合するカム面２５，２５を有する係合カム３０と、この係合カム３０を前記各ギア１０，１１に押し付ける付勢部材たるバネ４０とで構成されている。
【００１６】
前記ギアケース１５は両側を開口し、内部に仕切り壁１６を設けて各ギア１０，１１を内蔵する空洞部１６と、本体ケース２と蓋体ケース４とに接続された配線部材としての配線コード４５を通すための空洞部１７を形成し、これら空洞部１６，１７を一対の蓋体１８Ａ，１８Ｂで密閉している。前記空洞部１７には各ギア１０，１１を軸支するシャフト２０，２１が貫通し、このシャフト２０，２１の一端が前記仕切り壁１６が固定され、シャフト２０，２１の他端側は前記蓋体１８Ａを貫通して前記本体ケース２と蓋体ケース３に固定するための取付部材５０に固定されている。そして、他方の蓋体１８Ａと取付部材５０とは中空状の加締部材５５で固定され、その加締部材５５に形成する貫通孔５６から前記空洞部１７を通して本体ケース２と蓋体ケース４とに配線コード４５を接続している。
【００１７】
前記シャフト２０，２１に軸支される各ギア１０，１１は、その外周に形成するギア部１０Ａ，１１Ａが互いに噛合するとともに、ギア部１０Ａ，１１Ａの内面側には前記係合カム３０と係合するカム面１２，１３とその係合カム３０を収容する凹部１４が形成されている。さらに、各ギア１０，１１の外面側には、凹凸部５１が形成され、その凹凸部５１に前記取付部材５０の端部に形成した突出部５２に形成する凹凸部５３が嵌合している。係合カム３０と仕切り壁１６との間にはバネ４０が介在し、このバネ４０によって係合カム３０に形成するカム面２５，２５が各ギア１０，１１の内面に形成するカム面１２，１３に押し付けられるように付勢されている。
【００１８】
次に、図５のカム面１２と係合カム３０の展開図及び図６の携帯電話機本体１携帯電話本体１の側面図を参照して携帯電話本体１の動作について説明する。本体側ギア１０と蓋側ギア１１には、１８０°のピッチで下方に向かって湾曲する円弧面１２Ａと傾斜面１２Ｂと備えた凹状を成す第１のカム面１２と、傾斜角度の異なる傾斜面１３Ａ，１３Ｂとを備えた凹状を成す第２のカム面１３及び平坦カム面１４とが形成されている。ここで、第１のカム面１２と第２のカム面１３とはほぼ７８．５°の位相差を持って連続し、第１のカム面１２の傾斜面１２Ｂと第２のカム面１３の傾斜面１３Ａとが連続するとともに、第２のカム面１３の傾斜面１３Ｂと平坦カム面１４とが連続している。また、第２のカム面１３は、傾斜面１３Ａの方が緩やかな傾斜角である。一方、係合カム３０にはこれら第１及び第２のカム面１２，１３と係合するカム面２５が１８０°のピッチに形成されている。なお、各ギア１０，１１に形成するカム面１２，１３は左右対称に形成されている。
【００１９】
以上のように構成される折り畳み携帯電話機１は、図６に示すように、折り畳み携帯電話機１を折り畳んだ状態において、本体側ギア１０と蓋側ギア１１に形成する第１のカム面１２と係合カム３０に形成するカム面２５と係合した位置にあり、これを０°とする。このとき、バネ４０によって係合カム３０に形成するカム面２５が、第１のカム面１２の円弧面１２Ａと傾斜面１２Ｂを滑り降りようとする力が作用し、これに伴う回転トルクによって、蓋体ケース４は閉方向に付勢され、折り畳み携帯電話機１は閉じた状態に維持できる。
【００２０】
この状態から、図６に示すように、蓋体ケース４を開くと、本体ケース２と蓋体ケース４とに固定した一方の取付部材５０と各ギア１０，１１と凹凸部５１，５２の係合によって蓋体ケース４と一体的に蓋側ギア１１が回転する。図４に示すように、蓋側ギア１１と本体側ギア１０とはギア部１０Ａ，１１Ａが互いに噛合することから、蓋側ギア１１と逆回転する。これにより、蓋体ケース４の開き動作に連動して本体ケース２に対して各ギア１０，１１を内蔵するギアケース１５も回転動作する。すなわち、本体ケース２に対して蓋体ケース４を１０°開いた場合、本体ケース２に対してギアケース１５が５°開くとともに、そのギアケース１５に対して蓋体ケース４が５°開くことになる。そして、蓋体ケース４を本体ケース２に対して概ね３０°開くと、第１のカム面１２と係合カム３０のカム面２５との係合位置から１５°離れた位置に形成された第１のカム面１２の頂点、すなわち、円弧面１２Ａの上端部に係合カム３０のカム面２５が到達し、３０°以上開くことによって、カム面２５はバネ４０によって係合カム３０のカム面２５が第２のカム面１３の傾斜面１３Ａを滑り降りようとする力が作用する。これに伴う回転トルクによって、蓋体ケース４は開く方向に付勢される。このバネ４０の付勢力は傾斜面１３Ａが終わる位置まで作用し、図５で一点鎖線で示すように、蓋体ケース４が本体ケース２に対して１６０°（正確には１５７°）開くと、係合カム３０のカム面２５が第２のカム面１３の傾斜面１３Ａの終端位置に到達し、第２のカム面１３の谷部に落ち込むことによって、蓋体ケース４は、開状態の角度の１６０°（１５７°）をなして停止する。このようにして、蓋体ケース４は３０°から通話角度である１６０°（１５７°）までバネ４０の付勢力によって開方向の回転力が付与され、１６０°（１５７°）で角度を保った状態で保持される。
【００２１】
そして、蓋体ケース４を１６０°（１５７°）からさらに、２０２°（正確には２０１．９４°）開くと係合カム３０のカム面２５が第２のカム面１３の傾斜面１３ｂを乗り越えて平坦カム面１４に達し、蓋体ケース４を３６０°開くことによって、係合カム３０のカム面２５が本体側ギア１０と蓋側ギア１１に形成する第１のカム面１２に係合する。これにより、蓋体ケース４は３６０°開いた状態で保持されるから、蓋体ケース４が本体ケース２の裏面に沿って反転し、蓋体ケース４のディスプレイ３を外面側に露出した状態でコンパクトに保持される。そして、蓋体ケース４を閉じる場合は、逆方向に回転させることによってディスプレイ３を内面側に位置させた状態で蓋体ケース４と本体ケース２とを重ね合わせた状態で保持することが可能である。
【００２２】
以上のように、本発明では、蓋体ケース４を本体ケース２に対して３０°以上開くことによって、通話するのに都合が良いほぼ１６０°まで付勢されて蓋体ケース４を開くことが可能となるため、片手で蓋体ケース４を操作して通話を開始することが可能となる等、操作が容易になる。また、蓋体ケース４を３６０°回転させて、ディスプレイ３を外面側に露出させた状態で蓋体ケース４と本体ケース２とをコンパクトに折り畳んだ状態で保持することができ、メール入力、画像閲覧等において、動画の鑑賞、ゲームなどを行うことができ、ディスプレイ３の見やすさが向上する。
【００２３】
また、本体ケース２と蓋体ケース４とに跨がる配線コード４５が中空状の加絞部材５５の貫通孔５６からギアケース１５の空洞部１７の内部を通って配線されているため、配線コード４５が邪魔にならずスッキリを配線処理することができるとともに、配線コード４５の噛み込みも防止することができ、配線コード４５と本体ケース２と蓋体ケース４との干渉を防止することによって配線コード４５の断線などを防止することができる。
【００２４】
以上、本発明の実施例について詳述したが、本発明は前記実施例に限定されるものではなく、本発明の要旨の範囲内で種々の変形実施が可能である。例えば、前記実施の形態では、折り畳み携帯電話機を例示したが、この発明はこれに限られるものでなく、折り畳み機器に使用されるヒンジ装置のいずれにも適用可能である。また、カムの形状によって蓋体ケースの角度をどの位置で規制するか等は適宜選定すればよい。また、係合カム３０のカム面２５を蓋側ギア１１と本体側ギア１０のカム面１２，１３に押し付ける付勢手段もバネに限らず、適宜選定すればよい。
【図面の簡単な説明】
【００２５】
【図１】本発明の一実施例を示す折り畳み携帯電話機の斜視図である。
【図２】同上、ヒンジ機構の分解斜視図である。
【図３】同上、ヒンジ機構の断面図である。
【図４】同上、図３のＡ−Ａ線断面図である。
【図５】同上、カム面と係合カムの展開図である。
【図６】同上、携帯電話本体の動作を示す側面図である。
【図７】従来の携帯電話本体の斜視図である。
【図８】同上、携帯電話本体の動作を示す側面図である。
【符号の説明】
【００２６】
１    携帯電話機本体
２    本体ケース
３    ディスプレイ
４    蓋体ケース
５    ヒンジ機構
１０  本体側ギア
１１  蓋側ギア
１２，１３  カム面
１５  ギアケース
１６  仕切り壁
１７  空洞部
２０，２１  ギアシャフト
２５，２５  カム面
３０  係合カム
４０  バネ（付勢部材）
４５  配線コード（配線部材）
５０  取付部材
５５  加締部材
５６  貫通孔
【図１】
2006144892.tif 000003
【図２】
2006144892.tif 000004
【図３】
2006144892.tif 000005
【図４】
2006144892.tif 000006
【図５】
2006144892.tif 000007
【図６】
2006144892.tif 000008
【図７】
2006144892.tif 000009
【図８】
2006144892.tif 000010